(57)【要約】【課題】電子投票端末において、ランプ等の警報手段を投票管理者の近傍に配置する等の事前準備なしに、不正投票を監視できるようにする。【解決手段】不正処理部１４１は、投票カード挿入口１２に不正な投票カード２３（例えば、使用済みの投票カード）が挿入されると、リモート通信部２２に対して、予め定められている携帯端末（例えば、電子投票端末が設置されている投票所の投票管理者などが携帯している携帯電話機やＰＨＳなど）を示す情報を通知先として入力すると共に、不正投票が行われた旨の不正検出メッセージを入力する。リモート通信部２２は、入力された不正検出メッセージを、入力された通知先へ送信する。これにより、投票所にいる投票管理者等が携帯している携帯端末等に不正検出メッセージが表示され、投票管理者等は不正投票が行われたことを認識することができる。【選択図】      図２
2004206547.tif 000002
【特許請求の範囲】
【請求項１】
正規の投票カードが挿入されることにより投票画面を表示し、該投票画面を使用した投票を投票者に行わせる電子投票端末において、
不正な投票カードが挿入されたことを検出したとき、ネットワークを介して予め定められている携帯端末に対して不正が行われた旨の不正検出メッセージを送信する構成を有することを特徴とする電子投票端末。
【請求項２】
請求項１記載の電子投票端末において、
自端末においてエラーが発生したとき、前記発生したエラーの種別に応じた通知先に対して、前記発生したエラーの種別と前記通知先の属性とに応じた内容のエラーメッセージをネットワークを介して送信する構成を有することを特徴とする電子投票端末。
【請求項３】
正規の投票カードが挿入されることにより投票画面を表示し、該投票画面を使用した投票を投票者に行わせる電子投票端末において、
入力された通知先に対して、入力されたメッセージをネットワークを介して送信するリモート通信部と、
不正な投票カードが挿入されたことを検出した場合、前記リモート通信部に対して、予め定められている携帯端末を示す情報を通知先として入力すると共に、不正が行われた旨の不正検出メッセージを入力する不正処理部を備えたことを特徴とする電子投票端末。
【請求項４】
請求項３記載の電子投票端末において、
前記不正検出メッセージには、自端末を示す情報が含まれることを特徴とする電子投票端末。
【請求項５】
請求項３または４記載の電子投票端末において、
前記不正検出メッセージの通知先とする携帯端末を示す情報が格納された通知先記憶部を備え、且つ、
前記不正処理部が、不正な投票カードが挿入されたことを検出した場合、前記通知先記憶部から不正検出メッセージの通知先とする携帯端末を示す情報を取得する構成を備えたことを特徴とする電子投票端末。
【請求項６】
請求項５記載の電子投票端末において、
前記携帯端末が、選挙関係者の携帯端末であることを特徴とする電子投票端末。
【請求項７】
請求項３乃至６記載の何れか１つの電子投票端末において、
自端末においてエラーが発生したとき、前記リモート通信部に対して、前記発生したエラーの種別に応じた通知先を入力すると共に、前記発生したエラーの種別と前記通知先の属性とに応じた内容のエラーメッセージを入力するエラー処理部を備えたことを特徴とする電子投票端末。
【請求項８】
請求項７記載の電子投票端末において、
エラーの種別および通知先の属性に対応付けてエラーメッセージの内容が格納されたエラーメッセージ生成用データ記憶部を備え、且つ、
前記エラー処理部が、自端末においてエラーが発生したとき、前記エラーメッセージ生成用データ記憶部を参照して、前記エラーメッセージの内容を取得する構成を有することを特徴とする電子投票端末。
【請求項９】
請求項８記載の電子投票端末において、
前記エラーメッセージの通知先が、管理センターを含むことを特徴とする電子投票端末。
【請求項１０】
コンピュータを、正規の投票カードが挿入されることにより投票画面を表示し、該投票画面を使用した投票を投票者に行わせる電子投票端末として機能させるためのプログラムであって、
前記コンピュータを、不正な投票カードが挿入されたことを検出したとき、ネットワークを介して予め定められている携帯端末に対して不正が行われた旨の不正検出メッセージを送信する手段として機能させるためのプログラム。
【請求項１１】
請求項１０記載のプログラムにおいて、
前記コンピュータを、エラーが発生したとき、前記発生したエラーの種別に応じた通知先に対して、前記発生したエラーの種別と前記通知先の属性とに応じた内容のエラーメッセージをネットワークを介して送信する手段として機能させるためのプログラム。
【発明の詳細な説明】
【０００１】
【発明の属する技術分野】
本発明は、選挙の投票を電子的に行う電子投票技術に関し、特に、不正投票を監視する技術に関する。
【０００２】
【従来の技術】
現在、一般的に行われている選挙においては、投票者（有権者）が投票用紙に立候補者名を記入し、投票箱に投函することにより投票が行われている。このような投票用紙を用いた投票では、人手により投票結果を集計する必要があるため、その集計に多くの時間と労力が必要となる。
【０００３】
このような問題を解決するため、投票を電子的に行えるようにした電子投票端末が従来から提案されている（例えば、特許文献１参照）。この特許文献１に記載されている電子投票端末においては、表示部に立候補者の一覧を表示し、その中から投票する立候補者を選択させるようにしている。そして、選択された立候補者を示す投票データを内部の記憶装置に保存しておき、投票締め切り後に、コンピュータを用いて上記記憶装置に保存されている投票データを集計する。このようにすることにより、投票結果の集計に要する時間や労力を大幅に削減することができる。
【０００４】
また、上記した特許文献１には、不正投票を防止するために、投票者が持参した投票所入場券となる葉書と引き換えに投票カードを手渡し、電子投票端末を用いて投票を行う際には、投票カードを電子投票端末に挿入させるようにしている。そして、挿入された投票カードが正当なものであるか、不正なものであるかを判定し、もし、不正なものであった場合には、投票管理者の近傍に配置されているランプを点滅させるようにしている。
【０００５】
また、不正を監視する技術としては、ネットワーク端末が使用された場合、その所有者の携帯端末にメッセージを送信する技術（例えば、特許文献２参照）や、情報管理サーバにおいて、稼働中のプロセス群と正常時のプロセス群とを比較し、不一致の場合、不正侵入の可能性があると判定し、システム統括サーバへメッセージを送信する技術（例えば、特許文献３参照）が知られているが、これらは、選挙の電子投票に関する技術ではない。
【０００６】
【特許文献１】
特開平６−３５９３６号公報
【特許文献２】
特開２００２−１４９２８号公報
【特許文献３】
特開平１１−４５１９５号公報
【０００７】
【発明が解決しようとする課題】
上述した特許文献１に記載されている技術によれば、選挙管理者は、ランプを監視することにより、不正投票を監視することができる。しかし、特許文献１に記載されている技術では、不正投票を監視するために、選挙管理者の近傍にランプを配置したり、電子投票端末とランプとの間に配線を行ったりしなければならず、不正を監視するための準備に多くの労力が必要になるという問題がある。電子投票を円滑に行うためには、投票者が電子投票に不慣れなことを考慮して多数の電子投票端末を配置しておくことが必要であると考えられ、このように多くの電子投票端末を配置する場合には、非常に多くの労力が必要になってしまう。
【０００８】
そこで、本発明の目的は、容易に不正投票を監視できるようにすることにある。
【０００９】
【課題を解決するための手段】
本発明にかかる第１の電子投票端末は、上記目的を達成するため、
正規の投票カードが挿入されることにより投票画面を表示し、該投票画面を使用した投票を投票者に行わせる電子投票端末において、
不正な投票カードが挿入されたことを検出したとき、ネットワークを介して予め定められている携帯端末に対して不正が行われた旨の不正検出メッセージを送信する構成を有することを特徴とする。
【００１０】
また、本発明にかかる第２の電子投票端末は、エラーが発生した場合、エラーに迅速に対処できるようにするため、
第１の電子投票端末において、
自端末においてエラーが発生したとき、前記発生したエラーの種別に応じた通知先に対して、前記発生したエラーの種別と前記通知先の属性とに応じた内容のエラーメッセージをネットワークを介して送信する構成を有することを特徴とする。
【００１１】
より具体的には、本発明にかかる第３の電子投票端末は、
正規の投票カードが挿入されることにより投票画面を表示し、該投票画面を使用した投票を投票者に行わせる電子投票端末において、
入力された通知先に対して、入力されたメッセージをネットワークを介して送信するリモート通信部と、
不正な投票カードが挿入されたことを検出した場合、前記リモート通信部に対して、予め定められている携帯端末を示す情報を通知先として入力すると共に、不正が行われた旨の不正検出メッセージを入力する不正処理部を備えたことを特徴とする。
【００１２】
また、本発明にかかる第４の電子投票端末は、
第３の電子投票端末において、
前記不正検出メッセージには、自端末を示す情報が含まれることを特徴とする。
【００１３】
また、本発明にかかる第５の電子投票端末は、
第３または第４の電子投票端末において、
前記不正検出メッセージの通知先とする携帯端末を示す情報が格納された通知先記憶部を備え、且つ、
前記不正処理部が、不正な投票カードが挿入されたことを検出した場合、前記通知先記憶部から不正検出メッセージの通知先とする携帯端末を示す情報を取得する構成を備えたことを特徴とする。
【００１４】
また、本発明にかかる第６の電子投票端末は、
第５の電子投票端末において、
前記携帯端末が、選挙関係者の携帯端末であることを特徴とする。
【００１５】
また、本発明にかかる第７の電子投票端末は、
第３〜第６の何れか１つの電子投票端末において、
自端末においてエラーが発生したとき、前記リモート通信部に対して、前記発生したエラーの種別に応じた通知先を入力すると共に、前記発生したエラーの種別と前記通知先の属性とに応じた内容のエラーメッセージを入力するエラー処理部を備えたことを特徴とする。
【００１６】
また、本発明にかかる第８の電子投票端末は、
第７の電子投票端末において、
エラーの種別および通知先の属性に対応付けてエラーメッセージの内容が格納されたエラーメッセージ生成用データ記憶部を備え、且つ、
前記エラー処理部が、自端末においてエラーが発生したとき、前記エラーメッセージ生成用データ記憶部を参照して、前記エラーメッセージの内容を取得する構成を有することを特徴とする。
【００１７】
また、本発明にかかる第９の電子投票端末は、
第８の電子投票端末において、
前記エラーメッセージの通知先が、管理センターを含むことを特徴とする。
【００１８】
【作用】
上述した構成によれば、不正投票を行おうとして、不正な投票カードを電子投票端末に挿入すると、ネットワークを介して予め定められている携帯端末（例えば、投票所にいる選挙関係者が携帯している携帯端末）に、不正が行われた旨の不正検出メッセージが送信され、選挙関係者などはその不正検出メッセージに基づいて不正投票が行われたことを認識することができる。また、不正検出メッセージに電子投票端末を特定する情報を含ませるようにすれば、どの電子投票端末で不正投票が行われたかも認識することができる。このように、上述した構成によれば、ランプを配置するとか、ランプと電子投票端末との間に配線を行うとかいった事前準備なしで、不正投票を監視することが可能になる。
【００１９】
また、上述した構成によれば、電子投票端末にエラーが発生した場合、発生したエラーの種別に応じた通知先に、発生したエラーの種別と通知先の属性（例えば、選挙管理人とか管理センターなど）とに応じた内容のエラーメッセージが送信されるので、エラー発生に迅速に対処することが可能になる。
【００２０】
【発明の実施の形態】
次に本発明の実施の形態について図面を参照して詳細に説明する。
【００２１】
図１は本発明にかかる電子投票端末１の外観図である。同図に示すように、電子投票端末１は、投票カード挿入口１２と、タッチパネル付き表示部１１と、スピーカ１３とを備えている。
【００２２】
投票カード挿入口１２は、投票者が投票カードを挿入する挿入口である。投票カードは、投票所の受け付けにおいて、本人確認を終えた後、投票者が持参した投票入場券となる葉書と引き換えに配布されるものであり、正規の投票カードであることを示す情報および未使用であるか否かを示す使用情報が記録されている。尚、投票者に配布する正規の投票カードに記録されている使用情報は、未使用を示すものになっている。また、投票カードとしては、上記した情報を記録し、使用情報を書き換えることができるものであれば、磁気カード，ＩＣカードなど、どのようなカードを使用しても構わない。
【００２３】
タッチパネル付き表示部１１には、立候補者の一覧などを含む投票画面が表示される。投票者は、タッチパネル付き表示部１１に表示された投票画面を使用して投票を行う。
【００２４】
スピーカ１３は、操作ガイダンスなどを音声出力する。
【００２５】
図２は、電子投票端末１の内部構成例を示すブロック図である。同図に示すように、電子投票端末１は、その内部にＣＰＵ１４と、記憶装置１５と、投票カード搬送機構１６と、リードライト機構１７と、投票カード回収部１８と、スピーカ制御部１９と、表示制御部２０と、入力処理部２１と、リモート通信部２２とを備えている。
【００２６】
記憶装置１５には、通知先記憶部１５１と、エラーコード記憶部１５２と、エラーメッセージ生成用データ記憶部１５３と、投票データ記憶部１５４とが設けられている。
【００２７】
通知先記憶部１５１には、不正投票が行われた場合に送信する不正検出メッセージの通知先や、電子投票端末１にエラーが発生した場合に送信するエラーメッセージの通知先等が格納されている。図３に通知先記憶部１５１の内容例を示す。同図の例では、通知先記憶部１５１には、ユーザ名、通知先１、通知先２、通知先３、通知先属性、どのレベル以上のエラーが発生した場合にエラーメッセージを送信するのかを示す情報、不正投票が行われた時に不正検出メッセージを送信するか否かを示す情報が格納されている。通知先属性は、通知先の属性を示すものであり、本実施例では、「投票管理者」，「投票立会人」，「サポート窓口」の３つの属性が存在する。通知先属性「投票管理者」，「投票立会人」は、電子投票端末１が設置されている投票所にいる投票管理者，投票立会人を表し、通知先属性「サポート窓口」は、各投票所に設置されている電子投票端末を一括管理している管理センターのサポート窓口を表す。また、各ユーザに対しては、１つの通知先のみを格納するようにし、携帯電話機を用いてメッセージを送信する場合には、通知先１にそのメールアドレスを格納し、ペイジャを用いてメッセージを送信する場合には、通知先２にそのペイジャ番号を格納し、インターネットメールを用いてメッセージを送信する場合には、通知先３にそのメールアドレスを格納しておく。例えば、通知先記憶部１５１中の第１行目の情報は、電子投票端末１が設置されている投票所における投票管理者である「山田  太郎」には、電子投票端末１にレベル「低」以上のエラーが発生した場合および不正投票が行われた場合に、携帯電話機を用いてメッセージを送信することを示している。
【００２８】
エラーコード記憶部１５２には、エラーコードに対応付けて、エラーレベルと、属性とが登録されている。図４にエラーコード記憶部１５２の内容例を示す。同図の例において、例えば、第１行目の情報は、エラーコード「0x001」のエラーは、そのレベルが「低」で、属性が「書き込み失敗」であることを表している。
【００２９】
エラーメッセージ生成用データ記憶部１５３には、エラーコードに対応付けて、そのエラーコードによって示されるエラーが発生した時にエラーメッセージを通知する通知先の属性（１つ或いは複数）が格納され、更に通知先属性に対応付けてメッセージ内容が格納されている。図５にエラーメッセージ生成用データ記憶部１５３の内容例を示す。同図の例は、例えば、エラーコード「0x003」のエラーが発生した場合には、通知先属性が「投票管理者」，「投票立会人」の通知先に対してエラーメッセージ「投票端末Ｎに致命的なエラー：サポート窓口に連絡して下さい」を送信し、通知先属性が「サポート窓口」の通知先に対してエラーメッセージ「投票端末Ｎにハードの故障：エラーコード0x003」を送信することを示している。
【００３０】
投票データ記憶部１５４には、投票結果が保存される。
【００３１】
ＣＰＵ１４上には、不正処理部１４１と、投票処理部１４２と、エラー処理部１４３とが設けられている。
【００３２】
不正処理部１４１は、不正カード検出部１４１１と不正検出メッセージ送信処理部１４１２とを備えている。不正カード検出部１４１１は、投票カード挿入口１２に挿入された投票カード２３が不正カードであるか否かを判定する機能を有する。不正検出メッセージ送信処理部１４１２は、不正カード検出部１４１１によって不正な投票カードが検出された場合、リモート通信部２２に対して、通知先、不正検出メッセージの内容、メッセージの送信に使用する機器種別を渡し、メッセージの送信を指示する機能を有する。
【００３３】
投票処理部１４２は、表示制御部２０を制御してタッチパネル付き表示部１１に投票画面を表示する機能や、スピーカ制御部１９を制御し、音声ガイダンスをスピーカ１３から出力する機能や、タッチパネル上のタッチ位置を示す位置情報を出力する入力処理部２１の出力に基づいて、投票者が選択した立候補者を認識する機能や、認識結果を投票結果として投票データ記憶部１５４に格納する機能等を有する。
【００３４】
エラー処理部１４３は、エラー検出部１４３１と、エラーメッセージ送信処理部１４３２とを備えている。エラー検出部１４３１は、電子投票端末１内にエラーが発生した時、発生したエラーの種別を示すエラーコードを出力する機能を有する。エラーメッセージ送信処理部１４３２は、リモート通信部２２に対して、通知先、エラーメッセージの内容、メッセージの送信に使用する機器種別を渡し、メッセージの送信を指示する機能を有する。
【００３５】
記録媒体Ｋは、ディスク，半導体メモリ，その他の記録媒体であり、ＣＰＵ１４を不正処理部１４１，投票処理部１４２，エラー処理部１４３として機能させるためのプログラムが記録されている。このプログラムは、ＣＰＵ１４によって読み取られ、その動作を制御することで、ＣＰＵ１４上に不正処理部１４１，投票処理部１４２，エラー処理部１４３を実現する。
【００３６】
投票カード搬送機構１６は、投票カード挿入口１２に挿入された投票カード２３をリードライト位置まで搬送する機能や、投票カード２３をリードライト位置まで搬送したことを不正処理部１４１に通知する機能や、投票終了後に投票カード２３を投票カード回収部１８まで搬送する機能等を有する。
【００３７】
リードライト機構１７は、投票カード２３に記録されている情報を読み取ったり、投票カード２３に情報を書き込む機能を有する。
【００３８】
スピーカ制御部１９は、投票処理部１４２の制御に従って、スピーカ１３から音声ガイダンスを出力する機能を有する。
【００３９】
表示制御部２０は、投票処理部１４２の制御に従って、タッチパネル付き表示部１１に初期画面や投票画面を表示する機能を有する。入力処理部２１は、タッチパネル上のタッチ位置を示す位置情報を出力する機能を有する。
【００４０】
リモート通信部２２は、不正処理部１４１或いはエラー処理部１４３からの指示に従ってメッセージを送信する機能を有する。図６にリモート通信部２２の構成例を示す。同図に示すように、リモート通信部２２は、携帯メール送信部２２１と、ペイジャ送信部２２２と、インターネットメール送信部２２３とを備えている。携帯メール送信部２２１は、不正処理部１４１或いはエラー処理部１４３から指示された内容のメッセージをアンテナ２２４を介して送信する。また、ペイジャ送信部２２２およびインターネットメモリ送信部２２３は、不正処理部１４１或いはエラー処理部１４３から指示された内容のメッセージをモジュラージャック２２５および電話回線２２６を介して送信する。
【００４１】
【実施例の動作の説明】
次に、本実施例の動作について詳細に説明する。
【００４２】
投票者は、投票所の受け付けにおいて、投票所入場券となる葉書を投票カード２３と交換し、電子投票端末１の設置場所に進む。電子投票端末１のタッチパネル付き表示部１１には、図１０に示すような初期画面が表示されており、投票者は、この初期画面に従って投票カード２３を投票カード挿入口１２に挿入する。
【００４３】
電子投票端末１内の投票カード搬送機構１６は、投票カード挿入口１２から挿入された投票カード２３をリードライト位置まで搬送する。これにより、リードライト機構１７による、投票カード２３に対する情報の読み書きが可能になる。投票カード搬送機構１６は、投票カードをリードライト位置まで搬送すると、そのことを不正処理部１４１に通知する。
【００４４】
この通知を受けると、不正処理部１４１内の不正カード検出部１４１１は、図７のフローチャートに示すように、リードライト機構１７を制御し、投票カード２３に記録されている情報を読み込む（ステップＳ７１）。
【００４５】
その後、不正カード検出部１４１１は、ステップＳ７１で読み込んだ情報に基づいて、投票カード２３が正規のカードであるのか、不正なカードであるのかを判定する（ステップＳ７２）。即ち、ステップＳ７１で読み込んだ情報に、正規の投票カードであることを示す情報および未使用であることを示す使用情報が含まれている場合は、正規の投票カードであると判定し、そうでない場合は、不正な投票カードであると判定する。
【００４６】
そして、正規の投票カードであると判定した場合（ステップＳ７２がＹＥＳ）は、投票処理部１４２に制御を渡す（ステップＳ７３）。今、例えば、正規の投票カードであると判断したとすると、不正カード検出部１４１１は、投票処理部１４２に制御を渡すことになる（ステップＳ７２がＮＯ、Ｓ７３）。
【００４７】
投票処理部１４２は、不正処理部１４１から制御が渡されると、図８のフローチャートに示すように、表示制御部２０を制御し、タッチパネル付き表示部１１に図１１に示すような投票画面を表示する（ステップＳ８１）。図１１の例は、候補者が「ＡＡ  Ｂ男」と「ＸＸ  Ｙ子」の２人の場合に表示される投票画面を示している。同図に示すように、投票画面には、各立候補者の氏名や所属政党が表示されると共に、ガイダンス「投票する立候補者を選択して下さい」が表示されている。
【００４８】
更に、投票処理部１４２は、スピーカ制御部１９を制御し、スピーカ１３から例えば、「投票する立候補者を選択して下さい」といった音声ガイダンスを出力する（ステップＳ８２）。その後、投票処理部１４２は、入力待ち（投票待ち）状態となる（ステップＳ８３）。
【００４９】
投票者は、投票する立候補者を決定すると、タッチパネルの該当する部分にタッチする。例えば、「ＡＡ  Ｂ男」に投票する場合は、枠（イ）内の任意の位置にタッチし、「ＸＸ  Ｙ子」に投票する場合には、枠（ロ）内の任意の位置にタッチする。入力処理部２１は、このタッチ位置を示す位置情報を出力する。
【００５０】
投票処理部１４２は、入力処理部２１から出力される位置情報に基づいて、投票者が投票した立候補者を認識し、その立候補者を示す情報を投票データ記憶部１５４に保存する（ステップＳ８４）。
【００５１】
その後、投票処理部１４２は、リードライト機構１７を制御し、投票カード２３に使用済みを示す使用情報を書き込み、更に、投票カード搬送機構１６を制御して、投票カード２３を投票カード回収部１８まで搬送し回収する（ステップＳ８５、Ｓ８６）。そして、最後に表示部２０を制御し、タッチパネル付き表示部１１に初期画面を表示する（ステップＳ８７）。
【００５２】
投票カード挿入口１２に挿入された投票カード２３が正規のカードである場合（図７のステップＳ７２がＮＯ）には、上述した処理が行われる。これに対して、投票カード２３が不正なカードである場合（ステップＳ７２がＹＥＳ）には、次のような処理が行われる。
【００５３】
不正カード検出部１４１１により投票カード２３が不正なカードであると判断された場合（ステップＳ７２がＹＥＳ）は、不正検出メッセージ送信処理部１４１２が、通知先記憶部１５１を参照して不正検出メッセージの通知先を認識すると共に、不正検出メッセージの送信に使用する通信手段を認識する。今、例えば、通知先記憶部１５１の内容が図３に示すものであるとすると、不正検出メッセージ送信処理部１４１２は、不正投票時の通知有無が「する」になっている通知先「taro@xxx.ne.jp」,「9876-5432-110」を不正検出メッセージの通知先として認識する。また、通知先「taro@xxx.ne.jp」,「9876-5432-110」は、それぞれ項目「通知先１」，「通知先２」に該当するものであるので、通信手段がそれぞれ携帯電話機，ペイジャであると認識する。
【００５４】
その後、不正検出メッセージ送信処理手段１４１２は、リモート通信部２２に対して通知先「taro@xxx.ne.jp」，通信手段「携帯電話機」，不正検出メッセージの内容「端末Ｎにおいて不正投票が行われました。」の組と、通知先「9876-5432-110」，通信手段「ペイジャ」，不正検出メッセージの内容「端末Ｎにおいて不正投票が行われました。」の組とを渡し、不正検出メッセージの送信を指示する(ステップＳ７５)。尚、メッセージ中の端末Ｎは、不正投票の行われた電子投票端末を特定する情報であり、端末番号などを使用することができる。
【００５５】
リモート通信制御部２２内の携帯メール送信部２２１は、通知先「taro@xxx.ne.jp」，通信手段「携帯電話機」，不正検出メッセージの内容「端末Ｎにおいて不正投票が行われました。」の組に従って、アンテナ２２４を介して該当する通知先に不正検出メッセージを出力し、ペイジャ送信部２２２は、通知先「9876-5432-110」，通信手段「ペイジャ」，不正検出メッセージの内容「端末Ｎにおいて不正投票が行われました。」の組に従って、モジュラージャック２２５，電話回線２２６を介して該当する通知先に不正検出メッセージを送信する。この不正検出メッセージは、電子投票端末１が設置されている投票所の投票管理者である「山田  太郎」が携帯する携帯電話機および投票立会人である「鈴木  花子」が携帯するペイジャで受信され、表示される。この表示により、投票管理者，投票立会人は、不正投票が行われたことを認識することができる。
【００５６】
その後、不正検出メッセージ送信処理部１４１２は、投票カード搬送機構１６を制御し、不正な投票カード２３を投票カード回収部１８に回収する（ステップＳ７６）。
【００５７】
次に、電子投票端末１にエラーが発生した場合の動作を説明する。
【００５８】
エラー処理部１４３内のエラー検出部１４３１は、電子投票端末１内にエラーが発生したことを検出すると、図９のフローチャートに示すように、発生したエラーの種別を示すエラーコードを出力する（ステップＳ９１）。
【００５９】
エラーメッセージ送信処理部１４３２は、エラー検出部１４３１からエラーコードが出力されると、エラーコード記憶部１５２を参照し、発生したエラーのエラーレベルを取得する（ステップＳ９２）。今、例えば、エラーコード記憶部１５２の内容が図４に示すものであり、エラー検出部１４３１が出力したエラーコードが「0x003」であるとすると、エラーメッセージ送信処理部１４３２は、エラーレベル「高」を取得することになる。
【００６０】
その後、エラーメッセージ送信処理部１４３２は、通知先記憶部１５１を参照し、エラーメッセージの通知先、通知先属性およびエラーメッセージの送信に使用する通信手段を認識する（ステップＳ９３）。今、例えば、通知先記憶部１５１の内容が図３に示すものであり、ステップＳ９２で取得したエラーレベルが「高」であるとすると、エラーメッセージ送信処理部１４３２は、通知するエラーレベルが「低」，「中」，「高」となっている通知先「taro@xxx.ne.jp」,「9876-5432-110」，「S-jiro@xxx.co.jp」をエラーメッセージの通知先として認識する。また、通知先「taro@xxx.ne.jp」,「9876-5432-110」，「S-jiro@xxx.co.jp」は、それぞれ項目「通知先１」，「通知先２」，「通知先３」に該当するものであるので、通信手段がそれぞれ「携帯電話機」，「ペイジャ」，「インターネット」であると認識する。また、通知先「taro@xxx.ne.jp」,「9876-5432-110」，「S-jiro@xxx.co.jp」の通知先属性がそれぞれ「投票管理者」，「投票立会人」，「サポート窓口」と認識する。
【００６１】
その後、エラーメッセージ送信処理部１４３２は、エラーメッセージ生成用データ記憶部１５３を参照し、各通知先属性毎のエラーメッセージの内容を取得する（ステップＳ９４）。今、例えば、エラーメッセージ生成用データ記憶部１５３の内容が図５に示すものであり、エラー検出部１４３１から出力されたエラーコードが「0x003」であるとすると、通知属性「投票管理者」，「投票立会人」，「サポート窓口」それぞれに対するエラーメッセージの内容「投票端末Ｎに致命的なエラー：サポート窓口に連絡して下さい」，「投票端末Ｎに致命的なエラー：サポート窓口に連絡して下さい」，「投票端末Ｎにハードの故障、エラーコード0x003」を取得する。
【００６２】
その後、エラーメッセージ送信処理部１４３２は、リモート通信部２２に対して、通知先，使用する通信手段，エラーメッセージの内容の組を渡し、エラーメッセージの送信を指示する（ステップＳ９５）。この例の場合、エラーメッセージ送信処理部１４３２は、リモート通信部２２に対して、通知先「taro@xxx.ne.jp」，使用する通信手段「携帯電話機」，エラーメッセージの内容「投票端末Ｎに致命的なエラー：サポート窓口に連絡して下さい」の組と、通知先「9876-5432-110」，エラーメッセージの内容「投票端末Ｎに致命的なエラー：サポート窓口に連絡して下さい」の組と、通知先「S-jiro@xxx.co.jp」，通信手段「インターネット」，エラーメッセージの内容「投票端末Ｎにハードの故障、エラーコード0x003」の組を渡し、エラーメッセージの送信を指示する（ステップＳ９５）。
【００６３】
リモート通信部２２は、通信手段「携帯電話機」の組に従って該当する通知先にエラーメッセージ「投票端末Ｎに致命的なエラー：サポート窓口に連絡して下さい」を送信し、通信手段「ペイジャ」の組に従って該当する通知先にエラーメッセージ「投票端末Ｎに致命的なエラー：サポート窓口に連絡して下さい」を送信し、通信手段「インターネット」の組に従って該当する通知先にエラーメッセージ「投票端末Ｎにハードの故障、エラーコード0x003」を送信する。投票管理者，投票立会人は、上記エラーメッセージに従ってサポート窓口へ連絡し、また、サポート窓口では、エラーメッセージに基づいてその復旧方法を電子投票端末の設置場所にいる投票管理者，投票立会人に指示したり、保守要員を派遣を手配したりする。また、投票管理者や投票立会人は、送られてきたエラーメッセージに復旧方法（例えば、投票端末Ｎのリセットボタンを押して下さい）が含まれている場合には、それに従って復旧処理を行う。
【００６４】
尚、上述した実施例では説明しなかったが、投票データ記憶部１５４に記録されている投票結果は、投票締め切り後に、例えば、電話回線などを介して集計センターへ送信される。また、上述した実施例では説明しなかったが、メッセージの通信手段としてＰＨＳを使用するようにしても良い。
【００６５】
【発明の他の実施例】
上述した実施例においては、リモート通信部２２の構成を図６に示すものとしたが、リモート通信部２２の構成はこれに限られるものではなく、例えば、図１２に示すように、携帯メール送信部２２１のみを備えたものであっても良い。また、リモート通信部２２の構成を図１２に示すものとした場合には、通知先記憶部１５１の内容を図１３に示すものとすれば良い。
【００６６】
【発明の効果】
以上説明したように、本発明の電子投票端末によれば、不正投票を行おうとして、不正な投票カードを電子投票端末に挿入すると、ネットワークを介して予め定められている携帯端末（例えば、投票所にいる選挙関係者が携帯している携帯端末）に、不正が行われた旨のメッセージが送信されるので、従来の技術のように、ランプを配置するとか、ランプと電子投票端末とに間に配線を行うといった事前準備を行わなくとも、不正投票を監視することが可能になる。
【００６７】
また、本発明の電子投票端末は、電子投票端末にエラーが発生したとき、発生したエラーの種別に応じた通知先に対して、発生したエラーの種別と通知先の属性とに応じた内容のメッセージをネットワークを介して送信する構成を有しているので、エラー発生に迅速に対処することができる。
【図面の簡単な説明】
【図１】本発明の実施例の電子投票端末１の外観を示す図である。
【図２】電子投票端末１の内部構成を示すブロック図である。
【図３】通知先記憶部１５１の内容例を示す図である。
【図４】エラーコード記憶部１５２の内容例を示す図である。
【図５】エラーメッセージ生成用データ記憶部１５３の内容例を示す図である。
【図６】リモート通信部２２の構成例を示すブロック図である。
【図７】不正処理部１４１の処理例を示すフローチャートである。
【図８】投票処理部１４２の処理例を示すフローチャートである。
【図９】エラー処理部１４３の処理例を示すフローチャートである。
【図１０】初期画面の一例を示す図である。
【図１１】投票画面の一例を示す図である。
【図１２】リモート通信部２２の他の構成例を示すブロック図である。
【図１３】リモート通信部２２の構成を図１２に示すものとした時の通知先記憶部１５１の内容例を示す図である。
【符号の説明】
１…電子投票端末
１１…タッチパネル付き表示部
１２…投票カード挿入口
１３…スピーカ
１４…ＣＰＵ
１４１…不正処理部
１４１１…不正カード検出部
１４１２…不正検出メッセージ送信処理部
１４２…投票処理部
１４３…エラー処理部
１４３１…エラー検出部
１４３２…エラーメッセージ送信処理部
１５…記憶装置
１６…投票カード搬送機構
１７…リードライト機構
１８…投票カード回収部
１９…スピーカ制御部
２０…表示制御部
２１…入力処理部
２２…リモート通信部
２２１…携帯メール送信部
２２２…ペイジャ送信部
２２３…インターネットメール送信部
２２４…アンテナ
２２５…モジュラージャック
２２６…電話回線
２３…投票カード
Ｋ…記録媒体
【図１】
2004206547.tif 000003
【図２】
2004206547.tif 000004
【図３】
2004206547.tif 000005
【図４】
2004206547.tif 000006
【図５】
2004206547.tif 000007
【図６】
2004206547.tif 000008
【図７】
2004206547.tif 000009
【図８】
2004206547.tif 000010
【図９】
2004206547.tif 000011
【図１０】
2004206547.tif 000012
【図１１】
2004206547.tif 000013
【図１２】
2004206547.tif 000014
【図１３】
2004206547.tif 000015